(57)【要約】【課題】放射線検出装置への電力供給を容易に行うことができると共に、高品質な放射線画像を無線電力供給の影響による速度低下を招くことなく通信可能とする放射線検出装置、放射線画像撮影システム及び放射線画像撮影方法を提供する。【解決手段】放射線画像撮影システム１０は、被写体に放射線を照射する撮影装置２２と、被写体を透過した放射線Ｘを検出する放射線検出装置としての電子カセッテ２４と、電子カセッテ２４の無線受電部４９に電力を無線で供給する給電装置２５とを備え、さらに、放射線画像情報の送信中か否かを判定する送信状態判定部１０７と、送信状態判定部１０７で送信中と判定された場合に、給電装置２５から無線受電部４９への無線による電力供給を禁止するための給電禁止信号を発生する信号発生部１０９とが設けられる。【選択図】図５
2010223863.tif 000002
【特許請求の範囲】
【請求項１】
被写体を透過した放射線を検出し、放射線画像情報に変換する放射線検出器と、
前記放射線画像情報の無線による送信処理を少なくとも行う通信部と、
前記放射線検出器に電力を供給する電源部と、
外部の無線給電装置から無線で供給される電力を受電し、前記電源部に電力を供給する無線受電部と、
前記放射線画像情報の送信中か否かを判定する送信状態判定部と、
前記送信状態判定部で送信中と判定された場合に、前記給電装置から前記無線受電部への無線による電力供給を禁止するための給電禁止信号を発生する給電禁止信号発生部と、
を備えることを特徴とする放射線検出装置。
【請求項２】
請求項１記載の放射線検出装置において、
前記送信状態判定部により、前記放射線画像情報の送信中でないと判定された場合に、前記給電装置から前記無線受電部への無線による電力供給を許可するための給電許可信号を発生する給電許可信号発生部を備えることを特徴とする放射線検出装置。
【請求項３】
請求項１又は２記載の放射線検出装置において、
前記送信状態判定部で判定される前記送信中には、通信開始時点から通信終了時点までの期間が含まれ、
前記通信開始時点は、前記通信部から通信リンクの確立を要求するための信号が出力された時点、前記通信部に前記通信リンクが確立されたことを示す信号が入力された時点、前記通信リンクが確立した後の前記放射線画像情報の送信開始時点のうち、いずれかの時点であり、
前記通信終了時点は、前記通信部から前記通信リンクの解放を要求するための信号が出力された時点、前記通信部に前記通信リンクが解放されたことを示す信号が入力された時点、前記放射線画像情報の送信終了時点のうち、いずれかの時点であることを特徴とする放射線検出装置。
【請求項４】
被写体に放射線を照射する放射線照射装置と、
前記被写体を透過した放射線を検出し、放射線画像情報に変換する放射線検出器、該放射線検出器に電力を供給する電源部、及び、前記放射線画像情報の無線による送信処理を少なくとも行う通信部を有する放射線検出装置と、
前記放射線検出装置に設けられ、前記電源部に電力を供給する無線受電部に対して、無線によって電力を供給する無線給電装置と、
前記放射線照射装置、前記放射線検出装置、及び、前記無線給電装置の駆動を制御する制御装置と、
を備える放射線画像撮影システムであって、
さらに、前記放射線画像情報の送信中か否かを判定する送信状態判定部と、
前記送信状態判定部で送信中と判定された場合に、前記無線給電装置から前記放射線検出装置への無線による電力供給を禁止するための給電禁止信号を発生する給電禁止信号発生部と、
前記給電禁止信号を受信すると、前記放射線検出装置に対する無線による電力供給を禁止するように前記無線給電装置を制御する給電禁止制御部と、
が設けられていることを特徴とする放射線画像撮影システム。
【請求項５】
請求項４記載の放射線画像撮影システムにおいて、
前記送信状態判定部により、前記放射線画像情報の送信中でないと判定された場合に、
前記給電装置から前記放射線検出装置への無線による電力供給を許可するための給電許可信号を発生する給電許可信号発生部と、
前記給電許可信号を受信すると、前記無線給電装置を給電開始又は給電開始待機状態に制御する給電開始制御部と、
を備えることを特徴とする放射線画像撮影システム。
【請求項６】
請求項４記載の放射線画像撮影システムにおいて、
前記送信状態判定部で判定される前記送信中には、通信開始時点から通信終了時点までの期間が含まれ、
前記通信開始時点は、前記放射線検出装置の前記通信部から通信リンクの確立を要求するための確立要求信号が出力された時点、前記制御装置に前記確立要求信号が入力された時点、前記制御装置から前記通信リンクが確立されたことを示すアンサー信号が出力された時点、前記放射線検出装置の前記通信部に前記通信リンクが確立されたことを示す前記アンサー信号が入力された時点、前記通信リンクが確立した後の前記放射線画像情報の送信開始時点のうち、いずれかの時点であり、
前記通信終了時点は、前記放射線検出装置の前記通信部から前記通信リンクの解放を要求するための解放要求信号が出力された時点、前記制御装置に前記解放要求信号が入力された時点、前記制御装置から前記通信リンクが解放されたことを示すアンサー信号が出力された時点、前記放射線検出装置の前記通信部に前記通信リンクが解放されたことを示す前記アンサー信号が入力された時点、前記放射線画像情報の送信終了時点のうち、いずれかの時点であることを特徴とする放射線画像撮影システム。
【請求項７】
請求項４記載の放射線画像撮影システムにおいて、
前記送信状態判定部及び前記給電禁止信号発生部が、前記放射線検出装置、前記無線給電装置及び前記制御装置の少なくとも一つに設けられていることを特徴とする放射線画像撮影システム。
【請求項８】
請求項４記載の放射線画像撮影システムにおいて、
前記給電禁止制御部が、前記放射線検出装置、前記無線給電装置及び前記制御装置の少なくとも一つに設けられていることを特徴とする放射線画像撮影システム。
【請求項９】
被写体に放射線を照射し、該放射線を放射線検出装置に搭載した放射線検出器で検出して放射線画像情報に変換した後、該放射線画像情報を送信する放射線画像撮影方法であって、
前記放射線検出装置の電源部への給電を無線により行うと共に、前記放射線画像情報の送信中には前記電源部への給電を禁止することを特徴とする放射線画像撮影方法。
【請求項１０】
請求項９記載の放射線画像撮影方法において、
前記放射線画像情報の送信中に前記電源部への給電を禁止した状態で、前記放射線画像情報の送信が終了した後、前記電源部への給電を開始することを特徴とする放射線画像撮影方法。
【発明の詳細な説明】
【技術分野】
【０００１】
本発明は、被写体を透過した放射線を検出する放射線検出器及び無線受電部を備える放射線検出装置、該放射線検出装置に対して無線給電を行う無線給電装置を備える放射線画像撮影システム、及び、放射線画像撮影方法に関する。
【背景技術】
【０００２】
医療分野において、被写体に放射線を照射し、該被写体を透過した前記放射線を放射線変換パネルに導いて放射線画像を撮影する放射線画像撮影装置が広汎に使用されている。前記放射線変換パネルとしては、放射線画像が露光記録される従来からの放射線フイルムや、蛍光体に放射線画像としての放射線エネルギを蓄積し、励起光を照射することで当該放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像を得ることができる。
【０００３】
一方、手術室等においては、患者に対して迅速且つ的確な処置を施すため、撮影後の放射線変換パネルから直ちに放射線画像を読み出して表示することが必要である。また、乳幼児、小児や高齢者、病気や怪我などで長時間自立できない患者の撮影においても、同様に迅速な撮影が求められる。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
例えば、特許文献１には、放射線検出器で得られた放射線画像情報を無線送信システムによって画像処理部等に送信する機能を有する放射線検出装置（電子カセッテ）が記載されている。この電子カセッテにはバッテリが内蔵されており、該バッテリを充電する際には、別途設けられたクレードルに電子カセッテを装着し、該クレードルに内蔵された非接触充電装置によって無線による充電を行うことができる。
【先行技術文献】
【特許文献】
【０００５】
【特許文献１】特開２００８−１７０３１５号公報
【発明の概要】
【発明が解決しようとする課題】
【０００６】
ところで、上記従来技術では、例えば、患者集中による撮影の連続や、手術中の断続的な撮影、等によりバッテリ残量が不足した場合や、バッテリ寿命末期で充電してもすぐにバッテリ残量が不足してしまう場合等に、患者に敷設された電子カセッテをクレードルまで移動させて充電を行う必要がある。このため、充電の手間がかかり、また、手術の長時間化や患者への負担増を惹起する可能性がある。
【０００７】
上記課題を解決する手段として、無線給電によりクレードルまで移動させず、その場で、給電可能にする方法が有効であるが、その場合、無線給電による電磁波が放射線画像情報を無線で送る装置において、その送信画像情報や送信速度に悪影響を与える懸念がある。
【０００８】
仮に、放射線検出装置から放射線画像情報を無線にて送信中に、放射線検出装置に対する無線給電が実施された場合には、該無線給電に用いられた磁束等に起因したノイズが送信中の放射線画像情報（送信信号）に影響を及ぼし、高品質な放射線画像の取得が困難となる可能性がある。
【０００９】
また、画像データ自体への影響が避けられた場合であっても、画像送信速度の低下が懸念される。
【００１０】
本発明は、上記従来の課題を考慮してなされたものであり、放射線検出装置への電力供給を容易に行うことができると共に、高品質な放射線画像を無線電力供給の影響による速度低下を招くことなく通信可能とする放射線検出装置、放射線画像撮影システム及び放射線画像撮影方法を提供することを目的とする。
【課題を解決するための手段】
【００１１】
第１の本発明に係る放射線検出装置は、被写体を透過した放射線を検出し、放射線画像情報に変換する放射線検出器と、前記放射線画像情報の無線による送信処理を少なくとも行う通信部と、前記放射線検出器に電力を供給する電源部と、外部の無線給電装置から無線で供給される電力を受電し、前記電源部に電力を供給する無線受電部と、前記放射線画像情報の送信中か否かを判定する送信状態判定部と、前記送信状態判定部で送信中と判定された場合に、前記給電装置から前記無線受電部への無線による電力供給を禁止するための給電禁止信号を発生する給電禁止信号発生部とを備えることを特徴とする。
【００１２】
このような構成によれば、放射線を検出して放射線画像情報に変換する放射線検出器を有する放射線検出装置、例えば電子カセッテを所定の撮影位置に配置した状態のまま、無線給電装置によって当該放射線検出装置への給電を行うことができ、給電作業を一層容易にすることができる。しかも、前記放射線画像情報の送信中か否かを判定する送信状態判定部と、前記送信状態判定部で送信中と判定された場合に、前記給電装置から前記無線受電部への無線による電力供給を禁止するための給電禁止信号を発生する給電禁止信号発生部とを備えたことにより、無線給電装置による放射線検出装置への給電が放射線画像情報の送信中に行われることを確実に禁止することができる。このため、無線給電装置から無線で供給される電力によって生じるノイズが、送信中の放射線画像情報（送信信号）に影響を及ぼすことを防止することができ、高品質な放射線画像情報の取得が可能になる。また、高品質な放射線画像を無線電力供給の影響による速度低下を招くことなく通信可能となる。
【００１３】
さらに、前記送信状態判定部により、前記放射線画像情報の送信中でない（非送信中）と判定された場合に、前記給電装置から前記無線受電部への無線による電力供給を許可するための給電許可信号を発生する給電許可信号発生部を備えると、例えば、給電禁止制御中に送信が終了した場合に、迅速に給電を開始することができる。
【００１４】
特に、第１の本発明において、前記送信状態判定部で判定される前記送信中には、通信開始時点から通信終了時点までの期間が含まれ、前記通信開始時点は、前記通信部から通信リンクの確立を要求するための信号が出力された時点、前記通信部に前記通信リンクが確立されたことを示す信号が入力された時点、前記通信リンクが確立した後の前記放射線画像情報の送信開始時点のうち、いずれかの時点であり、前記通信終了時点は、前記通信部から前記通信リンクの解放を要求するための信号が出力された時点、前記通信部に前記通信リンクが解放されたことを示す信号が入力された時点、前記放射線画像の送信終了時点のうち、いずれかの時点であると、送信中の放射線画像情報（送信信号）へのノイズの影響を一層確実に回避することができる。
【００１５】
次に、第２の本発明に係る放射線画像撮影システムは、被写体に放射線を照射する放射線照射装置と、前記被写体を透過した放射線を検出し、放射線画像情報に変換する放射線検出器、該放射線検出器に電力を供給する電源部、及び、前記放射線画像情報の無線による送信処理を少なくとも行う通信部を有する放射線検出装置と、前記放射線検出装置に設けられ、前記電源部に電力を供給する無線受電部に対して、無線によって電力を供給する無線給電装置と、前記放射線照射装置、前記放射線検出装置、及び、前記無線給電装置の駆動を制御する制御装置とを備える放射線画像撮影システムであって、さらに、前記放射線画像情報を送信中か否かを判定する送信状態判定部と、前記送信状態判定部で送信中と判定された場合に、前記無線給電装置から前記放射線検出装置への無線による電力供給を禁止するための給電禁止信号を発生する給電禁止信号発生部と、前記給電禁止信号を受信すると、前記放射線検出装置に対する無線による電力供給を禁止するように前記無線給電装置を制御する給電禁止制御部とが設けられていることを特徴とする。
【００１６】
このような構成によれば、放射線検出装置、例えば電子カセッテを所定の撮影位置に配置した状態のまま、無線給電装置によって当該放射線検出装置への給電を行うことができ、給電作業を一層容易にすることができる。しかも、無線給電装置による放射線検出装置への給電が放射線画像情報の送信中に行われることを確実に禁止することができる。このため、無線給電装置から無線で供給される電力によって生じるノイズが、送信中の放射線画像情報（送信信号）に影響を及ぼすことを防止することができ、高品質な放射線画像の取得が可能になる。
【００１７】
さらに、前記送信状態判定部により、前記放射線画像情報が送信中でない（非送信中）と判定された場合に、前記給電装置から前記放射線検出装置への無線による電力供給を許可するための給電許可信号を発生する給電許可信号発生部と、前記給電許可信号を受信すると、前記無線給電装置を給電開始又は給電開始待機状態に制御する給電開始制御部とを備えるようにすれば、例えば、給電禁止制御中に送信が終了した場合に、迅速に給電を開始することができる。
【００１８】
また、第２の本発明において、前記送信状態判定部で判定される前記送信中には、通信開始時点から通信終了時点までの期間が含まれ、前記通信開始時点は、前記放射線検出装置の前記通信部から通信リンクの確立を要求するための確立要求信号が出力された時点、前記制御装置に前記確立要求信号が入力された時点、前記制御装置から前記通信リンクが確立されたことを示すアンサー信号が出力された時点、前記放射線検出装置の前記通信部に前記通信リンクが確立されたことを示す前記アンサー信号が入力された時点、前記通信リンクが確立した後の前記放射線画像情報の送信開始時点のうち、いずれかの時点であり、前記通信終了時点は、前記放射線検出装置の前記通信部から前記通信リンクの解放を要求するための解放要求信号が出力された時点、前記制御装置に前記解放要求信号が入力された時点、前記制御装置から前記通信リンクが解放されたことを示すアンサー信号が出力された時点、前記放射線検出装置の前記通信部に前記通信リンクが解放されたことを示す前記アンサー信号が入力された時点、前記放射線画像の送信終了時点のうち、いずれかの時点であれば、送信中の放射線画像情報（送信信号）へのノイズの影響を一層確実に回避することができる。
【００１９】
また、第２の本発明において、さらに、前記放射線検出装置の前記通信部から送信された前記放射線画像情報を受信して画像処理する画像処理部を備えるようにしてもよい。
【００２０】
この場合、さらに、前記画像処理部にて画像処理された前記放射線画像情報を受信して表示する表示装置を備え、前記放射線画像情報は、前記画像処理部から前記表示装置へと無線を介して送信されるようにしてもよい。この場合も、前記画像処理部から前記表示装置への放射線画像情報の送信中に、無線給電装置による放射線検出装置への給電が行われることを確実に禁止することができる。このため、無線給電装置から無線で供給される電力によって生じるノイズが、送信中の放射線画像情報（送信信号）に影響を及ぼすことを防止することができ、高品質な放射線画像の取得が可能になる。
【００２１】
また、第２の本発明において、前記送信状態判定部及び前記給電禁止信号発生部が、前記放射線検出装置、前記無線給電装置及び前記制御装置の少なくとも一つに設けられていると、放射線画像情報を送信している間の給電禁止制御を一層容易に実施することができる。同様に、前記給電禁止制御部が、前記放射線検出装置、前記無線給電装置及び前記制御装置の少なくとも一つに設けられていると、送信中の給電禁止制御を一層容易に実施することができる。
【００２２】
次に、第３の本発明に係る放射線画像撮影方法は、被写体に放射線を照射し、該放射線を放射線検出装置に搭載した放射線検出器で検出して放射線画像情報に変換した後、該放射線画像情報を送信する放射線画像撮影方法であって、前記放射線検出装置の電源部への給電を無線により行うと共に、前記放射線画像情報の送信中には前記電源部への給電を禁止することを特徴とする。
【００２３】
このような方法によれば、放射線画像情報を送信している間に、放射線検出装置、例えば電子カセッテへの無線給電が行われることを確実に防止することができるため、無線給電装置から無線で供給される電力によって生じるノイズが、送信中の放射線画像情報（送信信号）に影響を及ぼすことを防止して、高品質な放射線画像を得ることができる。
【００２４】
また、前記送信中に前記電源部への給電を禁止した状態で送信が終了した後、前記電源部への給電を開始すると、迅速に給電を再開することができる。なお、前記送信が終了した後とは、送信終了直後や、送信終了後、例えば、放射線検出装置である電子カセッテの電源部の残量等を考慮した任意のタイミング等を含む。
【発明の効果】
【００２５】
本発明によれば、放射線検出器を有する放射線検出装置を所定の撮影位置に配置した状態のまま、無線給電装置によって当該放射線検出装置への給電を行うことができるため、給電作業を一層容易にすることができる。さらに、前記放射線画像情報を送信中か否かを判定する送信状態判定部と、前記送信状態判定部で送信中と判定された場合に、前記無線給電装置から前記放射線検出装置への無線による電力供給を禁止するための給電禁止信号を発生する給電禁止信号発生部とを備えることにより、無線給電装置による放射線検出装置への給電が放射線画像情報の送信中に行われることを確実に禁止することができる。このため、無線給電装置から無線で供給される電力によって生じるノイズが、送信中の放射線画像情報（送信信号）に影響を及ぼすことを防止することができ、高品質な放射線画像の取得が可能になる。また、高品質な放射線画像を無線電力供給の影響による速度低下を招くことなく通信可能となる。
【図面の簡単な説明】
【００２６】
【図１】本実施形態の放射線画像撮影システムが設置された手術室の説明図である。
【図２】図１に示す電子カセッテの一部切断斜視説明図である。
【図３】図２の放射線検出器の回路構成ブロック図である。
【図４】図１に示す放射線画像撮影システムのブロック説明図である。
【図５】図４に示す電子カセッテの構成をより具体的に示したブロック説明図である。
【図６】電子カセッテとコンソール間の通信のシーケンス例を示す図である。
【図７】図４に示す放射線画像撮影システムの撮影手順の一例を示すフローチャートである。
【図８】図４に示す放射線画像撮影システムの第１の変形例のブロック説明図である。
【図９】図４に示す放射線画像撮影システムの第２の変形例のブロック説明図である。
【図１０】コンソールと表示装置間の通信のシーケンス例を示す図である。
【図１１】電子カセッテの他の構成図である。
【図１２】電子カセッテの充電を行うクレードルの構成図である。
【図１３】図４に示す放射線画像撮影システムの第３の変形例に係る放射線画像撮影システムの説明図である。
【図１４】図４に示す放射線画像撮影システムの第４の変形例に係る放射線画像撮影システムの説明図である。
【発明を実施するための形態】
【００２７】
以下、本発明に係る放射線画像撮影システム及び放射線画像撮影方法について、このシステムに用いられる放射線検出装置との関係で好適な実施の形態を挙げ、添付の図面を参照して詳細に説明する。
【００２８】
図１に示すように、本実施形態に係る放射線画像撮影システム１０（以下、「撮影システム１０」ともいう）が設置された手術室１２には、患者１４が横臥するベッドである手術台１６と、医師１８が手術に使用する各種器具を載置する器具台２０とが配置されている。また、手術台１６の周りには、図示しない麻酔器、吸引器、心電計、血圧計等、手術に必要な様々な機器が配置される。
【００２９】
撮影システム１０は、撮影条件に従った線量の放射線Ｘを被写体である患者１４に照射する撮影装置（放射線照射装置）２２と、患者１４を透過した放射線Ｘを検出する放射線検出器４０（図２参照）を内蔵した放射線検出装置である電子カセッテ２４と、電子カセッテ２４に内蔵されたバッテリ４４（図２参照）へと電力を無線（非接触）で供給する給電装置（無線給電装置）２５と、放射線検出器４０で検出された放射線Ｘに基づく放射線画像を表示する表示装置２６と、当該撮影システム１０を総合的に制御するコンソール（制御装置）２８とを備える。撮影システム１０において、撮影装置２２、電子カセッテ２４、給電装置２５、表示装置２６及びコンソール２８間は、例えば、ＵＷＢ（Ｕｌｔｒａ  Ｗｉｄｅ  Ｂａｎｄ）を用いた無線通信により信号の送受信を行うことができる。
【００３０】
撮影装置２２は、天井から延びた自在アーム３０に連結され、患者１４の撮影部位に応じた所望の位置に移動可能であると共に、医師１８による手術の邪魔とならない位置に待避可能である。同様に、給電装置２５は自在アーム３１に連結され、電子カセッテ２４の配置に応じた所望の位置に移動可能である。表示装置２６は自在アーム３２に連結され、表示される放射線画像を医師１８が容易に確認できる位置に移動可能である。自在アーム３０〜３２は、壁や床又は移動可能なワゴン等に設けてもよく、給電装置２５や表示装置２６は、自在アームを介さずに天井や壁、床等に固定しておいてもよい。なお、給電装置２５は、放射線検出装置（電子カセッテ２４等）へ印加する磁場Ｍが患者１４を避けるように、例えば、当該放射線検出装置の側面水平方向（図１及び図１３参照）や底面下方（図１４参照）等に配置されることが好ましい。
【００３１】
図２は、図１の電子カセッテ２４の一部切断斜視説明図である。電子カセッテ２４は、放射線Ｘを透過させる材料からなる箱状のケーシング３４を備える。ケーシング３４の内部には、放射線Ｘが照射される照射面３６側から順に、患者１４による放射線Ｘの散乱線を除去するグリッド３８と、患者１４を透過した放射線Ｘを検出する放射線検出器４０と、放射線Ｘのバック散乱線を吸収する鉛板４２とが層状に配設される。ケーシング３４の照射面３６をグリッド３８として構成することもできる。
【００３２】
また、電子カセッテ２４には、電源部として機能するバッテリ４４と、バッテリ４４からの電力によって放射線検出器４０の駆動制御等を行うカセッテ制御部４６と、放射線検出器４０で検出した放射線Ｘの情報（放射線画像情報）を含む信号をコンソール２８との間で無線によって送受信する送受信機４８とが備えられる。バッテリ４４、カセッテ制御部４６及び送受信機４８には、放射線Ｘが照射されることによる損傷を回避するため、照射面３６側に鉛板等を配設しておくことが好ましい。さらに、電子カセッテ２４には、給電装置２５で電気エネルギから変換され、無線によって印加される磁場（磁界、磁束）Ｍを受電し、該磁場Ｍを電気エネルギに再変換する無線受電部４９等が設けられる。
【００３３】
図３は、放射線検出器４０の回路構成ブロック図である。放射線検出器４０は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量（蓄積部）５３に蓄積した後、各行毎にＴＦＴ５２を順次オンにして、電荷を画像信号として読み出す。図３では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。従って、電子カセッテ２４内に放射線検出器４０を冷却する手段を配設することが好ましい。
【００３４】
各画素５０に接続されるＴＦＴ５２には、行方向と平行に延びるゲート線５４と、列方向と平行に延びる信号線５６とが接続される。各ゲート線５４は、ライン走査駆動部５８に接続され、各信号線５６は、読取回路を構成するマルチプレクサ６６に接続される。
【００３５】
ゲート線５４には、行方向に配列されたＴＦＴ５２をオンオフ制御する制御信号Ｖｏｎ、Ｖｏｆｆがライン走査駆動部５８から供給される。この場合、ライン走査駆動部５８は、ゲート線５４を切り替える複数のスイッチＳＷ１と、スイッチＳＷ１の１つを選択する選択信号を出力するアドレスデコーダ６０とを備える。アドレスデコーダ６０には、カセッテ制御部４６からアドレス信号が供給される。
【００３６】
また、信号線５６には、列方向に配列されたＴＦＴ５２を介して各画素５０の蓄積容量５３に保持されている電荷が流出する。この電荷は、増幅器６２によって増幅される。増幅器６２には、サンプルホールド回路６４を介してマルチプレクサ６６が接続される。マルチプレクサ６６は、信号線５６を切り替える複数のスイッチＳＷ２と、スイッチＳＷ２の１つを選択する選択信号を出力するアドレスデコーダ６８とを備える。アドレスデコーダ６８には、カセッテ制御部４６からアドレス信号が供給される。マルチプレクサ６６には、Ａ／Ｄ変換器（Ａ／Ｄ変換部）７０が接続され、Ａ／Ｄ変換器７０によってデジタル信号に変換された放射線画像情報がカセッテ制御部４６に供給される。
【００３７】
さらに、スイッチング素子として機能するＴＦＴ５２は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００３８】
図４は、撮影装置２２、電子カセッテ２４、給電装置２５、表示装置２６及びコンソール２８からなる撮影システム１０のブロック説明図である。
【００３９】
コンソール２８には、病院内の放射線科で取り扱われる放射線画像情報やその他の情報を統括的に管理する放射線科情報システム（ＲＩＳ）２９が接続され、ＲＩＳ２９には、病院内の医事情報を統括的に管理する医事情報システム（ＨＩＳ）３３が接続される。
【００４０】
撮影装置２２は、撮影スイッチ７２と、放射線源７４と、送受信機７６と、線源制御部７８とを有する。送受信機７６は、無線通信によってコンソール２８から撮影条件を受信する一方、コンソール２８に対して撮影完了信号等を送信する。線源制御部７８は、撮影スイッチ７２から供給される撮影開始信号及びコンソール２８から供給される撮影条件に基づき放射線源７４を駆動制御する。放射線源７４は、線源制御部７８からの制御に基づき放射線Ｘを出力する。
【００４１】
給電装置２５は、図示しない外部電源等に接続された電源８０と、無線通信によってコンソール２８から給電開始信号等を受信する一方、コンソール２８に対して当該給電装置２５のＩＤ情報（識別データ）等を送信する送受信機８２と、電源８０からの電気エネルギを磁場Ｍに変換して電子カセッテ２４へと無線で送電するＬＣ共振器（送電部）８４と、コンソール２８から供給される給電開始信号に基づきＬＣ共振器８４を駆動制御する給電制御部８６とを備える。
【００４２】
図５は、本実施形態に係る放射線検出装置としての電子カセッテ２４の構成をより具体的に示した撮影システム１０のブロック説明図である。
【００４３】
図４及び図５に示すように、電子カセッテ２４は、放射線検出器４０と、バッテリ４４と、無線受電部４９と、カセッテ制御部４６と、送受信機４８とを備える。
【００４４】
バッテリ４４は、リチウムイオン電池等の充電可能な２次電池で構成され、放射線検出器４０、カセッテ制御部４６及び送受信機４８等、電子カセッテ２４の各部に電力を供給する電源である。バッテリ４４としては、２次電池以外にも、例えば、電気二重層コンデンサ等の蓄電素子を使用することもでき、要は、充電可能であり且つ電子カセッテ２４の電源として適切に機能するものであればよい。
【００４５】
無線受電部４９は、給電装置２５から無線で供給される電力を受電し、バッテリ４４へと充電する機能を有する。該無線受電部４９は、給電装置２５のＬＣ共振器８４から印加される磁場Ｍを受けて電気エネルギに再変換するＬＣ共振器８８と、ＬＣ共振器８８で再変換された電気エネルギを所望の電力に変換してバッテリ４４への供給する充電回路９０とを有する。充電回路９０は、ＬＣ共振器８８で発生した電流を整流して、例えば、所定の定電流でバッテリ４４を充電する。
【００４６】
さらに、無線受電部４９には、ＬＣ共振器８８と並設され、該ＬＣ共振器８８より小型の検出用ＬＣ共振器９４と、検出用ＬＣ共振器９４で再変換された電気エネルギを検出するエネルギ検出部９６とが備えられる。エネルギ検出部９６は、前記電気エネルギを検出することにより、当該電子カセッテ２４が給電装置２５の給電可能エリア内にあることを検出し、カセッテ制御部４６へと給電エリア検出信号を送信する。
【００４７】
上記のように、給電装置２５から電子カセッテ２４に対しては、コイルとコンデンサを有するＬＣ共振回路で構成されたＬＣ共振器８４からＬＣ共振器８８への磁場Ｍの共鳴を利用する公知の電力送信技術を用い、無線による給電（充電）を行うことができる。
【００４８】
図５に示すように、カセッテ制御部４６は、アドレス信号発生部９８と、画像メモリ１００と、運転管理部１０２と、カセッテＩＤメモリ１０４と、データ管理部１０６とを備える。アドレス信号発生部９８は、放射線検出器４０を構成するライン走査駆動部５８のアドレスデコーダ６０及びマルチプレクサ６６のアドレスデコーダ６８に対して、アドレス信号を供給する。画像メモリ１００は、放射線検出器４０によって検出された放射線画像情報を記憶する。
【００４９】
運転管理部１０２は、無線受電部４９及びバッテリ４４を駆動制御すると共に、当該電子カセッテ２４全体の駆動も制御する。
【００５０】
送受信機４８は、コンソール２８とのデータ通信を行うための通信リンクの確立や通信リンクの解放、並びにデータの送受信も行う。すなわち、送受信機４８は、運転管理部１０２から通信要求信号が入力された時点でコンソール２８とのデータ通信を行う前に通信リンクの確立を行い、コンソール２８とのデータ通信が終了したら通信リンクの解放を行う。
【００５１】
例えば図６に示すように、通信リンクの確立は、コンソール２８に向けて通信リンクの確立のための確立要求信号を出力し、コンソール２８からのアンサー信号（１）を待つ。アンサー信号（１）が受信された段階で、通信リンクが確立されることになる。その後、実際の放射線画像情報の送信が行われ、放射線画像情報の送信が終了した段階で、通信リンクの解放を行う。通信リンクの解放は、コンソール２８に向けて通信リンクの解放のための解放要求信号を出力し、コンソール２８からのアンサー信号（２）を待つ。アンサー信号（２）が受信された段階で、通信リンクが解放されることになる。
【００５２】
さらに、運転管理部１０２には、送受信機４８によって、電子カセッテからコンソールに放射線画像情報の送信が行われているか否か（つまり、送信中か否か）を判定する送信状態判定部１０７と、送信状態判定部１０７で送信中と判定された場合に給電装置２５によるバッテリ４４への給電（充電）を禁止するための給電禁止信号を発生する信号発生部（給電禁止信号発生部）１０９とが設けられる。さらに、前記信号発生部１０９は、前記送信状態判定部１０７で送信中ではない（つまり、非送信中）と判定された場合に給電装置２５によるバッテリ４４への給電を許可するための給電許可信号を発生する給電許可信号発生部としての機能も有する。このように送信状態判定部１０７での判定結果を受けて給電禁止信号や給電許可信号を発生する信号発生部１０９は、各信号に対応するように複数の信号発生部として構成することもできる。
【００５３】
送信状態判定部で判定される送信中には、通信開始時点から通信終了時点までの期間が含まれる。つまり、通信開始時点から通信終了時点までの期間は、送信状態判定部１０７において、放射線画像情報の送信中として判定されることになる。
【００５４】
そして、通信開始時点は、電子カセッテ２４の送受信機４８から通信リンクの確立を要求するための確立要求信号が出力された時点、電子カセッテ２４の送受信機４８に通信リンクが確立されたことを示すアンサー信号（１）が入力された時点、通信リンクが確立した後の放射線画像情報の送信開始時点のうち、いずれかの時点である。どの時点を通信開始時点にするかは、電子カセッテ２４や撮影システム１０の仕様、無線給電の際に出力される電力の大きさ等に応じて適宜選択することができる。
【００５５】
通信終了時点は、放射線画像情報の送信終了時点、電子カセッテ２４の送受信機４８から通信リンクの解放を要求するための解放要求信号が出力された時点、電子カセッテ２４の送受信機４８に通信リンクが解放されたことを示すアンサー信号（２）が入力された時点のうち、いずれかの時点である。どの時点を通信終了時点にするかは、上述と同様に、電子カセッテ２４や撮影システム１０の仕様、無線給電の際に出力される電力の大きさ等に応じて適宜選択することができる。
【００５６】
信号発生部１０９で発せられた給電禁止信号や給電許可信号はコンソール２８へと送信され、該コンソール２８によって給電装置２５からの無線給電の禁止（停止）制御や、開始（再開）制御が行われる。なお、コンソール２８を介さず、給電禁止信号や給電許可信号を電子カセッテ２４から給電装置２５へと直接的に送信し、例えば、給電制御部８６によって給電禁止制御や給電開始制御を行うように構成してもよい。
【００５７】
カセッテＩＤメモリ１０４は、電子カセッテ２４を特定するためのカセッテＩＤ情報を記憶する。データ管理部１０６は、当該電子カセッテ２４の給電に対応する給電装置２５を特定するためのＩＤ情報（識別データ）及びエネルギ検出部９６からの給電エリア検出信号等を管理する。
【００５８】
送受信機４８は、無線通信によりコンソール２８から送信要求信号及び給電装置２５のＩＤ情報を受信する一方、コンソール２８に対して、放射線画像情報、カセッテＩＤ情報、無線給電可能信号、給電禁止信号及び給電許可信号等を送信する。
【００５９】
表示装置２６は、コンソール２８からの放射線画像情報を受信したり、データ通信のための各種信号を出力する送受信機１１０と、受信した放射線画像情報の処理を行う表示制御部１１２と、表示制御部１１２で処理された放射線画像情報を表示する表示部１１４とを備える。
【００６０】
コンソール２８は、送受信機１１６と、撮影条件管理部１１８と、画像処理部１２０と、画像メモリ１２２と、患者情報管理部１２４と、カセッテ情報管理部１２６と、給電情報管理部１２８とを備える。なお、コンソール２８は、撮影装置２２、電子カセッテ２４、給電装置２５及び表示装置２６に対して信号の送受信を確実に行うことができるのであれば、手術室１２の外部に設置してもよい。
【００６１】
送受信機１１６は、当該コンソール２８と、撮影装置２２、電子カセッテ２４、給電装置２５及び表示装置２６との間で、放射線画像情報や給電禁止信号、給電許可信号を含む必要な情報を無線通信によって送受信する。撮影条件管理部１１８は、撮影装置２２による撮影に必要な撮影条件を管理する。画像処理部１２０は、電子カセッテ２４から受信した放射線画像情報に対し、所定の画像処理を行う。画像メモリ１２２は、画像処理部１２０で処理された放射線画像情報を記憶する。患者情報管理部１２４は、撮影対象である患者１４の患者情報を管理する。カセッテ情報管理部１２６は、電子カセッテ２４から受信した無線給電可能信号やカセッテＩＤ情報を含むカセッテ情報を管理する。給電情報管理部１２８は、給電装置２５の運転制御や給電装置２５から送信されたＩＤ情報等の管理等を行うと共に、さらに、信号発生部１０９から受信した給電禁止信号や給電許可信号に基づく給電装置２５の給電禁止制御や給電開始制御（給電再開制御）を行う。
【００６２】
なお、前記撮影条件とは、患者１４の撮影部位に対して、適切な線量からなる放射線Ｘを照射するための管電圧、管電流、照射時間等を決定するための条件であり、例えば、撮影部位、撮影方法等の条件を挙げることができる。前記患者情報とは、患者１４の氏名、性別、患者ＩＤ番号等、患者１４を特定するための情報である。これらの撮影条件及び患者情報を含む撮影のオーダリング情報は、コンソール２８で直接設定し、あるいは、ＲＩＳ２９を介してコンソール２８に外部から供給することができる。また、前記カセッテ情報には、電子カセッテ２４を特定するためのカセッテＩＤ情報等に加え、データ管理部１０６からの無線給電可能信号も含まれる。
【００６３】
本実施形態に係る撮影システム１０は、基本的には以上のように構成されるものであり、次にその動作について図７のフローチャートも参照しながら説明する。
【００６４】
撮影システム１０は、手術室１２に設置されており、例えば、手術中に放射線画像の撮影が必要となった際に使用される。そのため、撮影対象である患者１４の患者情報は、撮影に先立ち、コンソール２８の患者情報管理部１２４に予め登録しておく。また、撮影部位や撮影方法が事前に決まっている場合には、これらの撮影条件を撮影条件管理部１１８に予め登録しておく。以上の準備作業が終了した状態で患者１４に対する手術が遂行される。
【００６５】
先ず、図７のステップＳ１において、医師１８又は担当する放射線技師は、手術中に放射線画像の撮影を行う際には、照射面３６を撮影装置２２側に向けた状態で、患者１４と手術台１６との間の所望の位置に電子カセッテ２４を設置する。
【００６６】
ここで、コンソール２８の運転開始と連動して、又は図示しない運転開始スイッチの操作等により、給電装置２５が所定の運転条件（低出力運転）で駆動される。従って、電子カセッテ２４は、無線受電部４９の検出用ＬＣ共振器９４及びエネルギ検出部９６により、当該電子カセッテ２４が給電装置２５の給電可能エリア内に配置されたことを検出することができる。すなわち、エネルギ検出部９６が、電子カセッテ２４が給電装置２５から受電可能なエリアにあるか否かを検出する受電可否検出部として機能する。この際、給電装置２５の給電制御部８６は、電子カセッテ２４の検出用ＬＣ共振器９４及びエネルギ検出部９６がＬＣ共振器８４からの磁場Ｍの有無を検出できる程度の弱い磁場Ｍを印加する低出力運転を行い、電力消費量を有効に抑えている。
【００６７】
一方、電子カセッテ２４では、エネルギ検出部９６からデータ管理部１０６へと給電エリア検出信号が供給される。給電エリア検出信号を受けたデータ管理部１０６は、給電情報管理部１２８に記憶された給電装置２５のＩＤ情報をコンソール２８から受信する一方、無線給電可能信号をコンソール２８のカセッテ情報管理部１２６へと送信する。
【００６８】
さらに、前記給電エリア検出信号は、エネルギ検出部９６から運転管理部１０２にも伝達される。給電エリア検出信号を受けた運転管理部１０２では、当該電子カセッテ２４を使用可能な状態へと電源ＯＮし、これにより撮影準備が完了される。勿論、電子カセッテ２４の側面等に、医師１８等が操作する図示しない電源スイッチを設けることもできる。
【００６９】
撮影システム１０では、上記のような撮影準備が完了した後、カセッテ制御部４６又はカセッテ情報管理部１２６によるバッテリ４４の残量管理下に（ステップＳ２）、当該バッテリ４４の充電が必要と判断された場合には（ステップＳ２のＮＯ）、給電開始信号がコンソール２８のカセッテ情報管理部１２６から給電装置２５の給電制御部８６へと送信される。これにより、撮影システム１０では、給電装置２５による所望の電力量及びタイミングでの電子カセッテ２４への給電（充電）を行うことができる（ステップＳ３）。なお、手術中、バッテリ４４の残量が不足した際等には、電子カセッテ２４を所定の撮影位置に配置した状態のまま適宜充電することができる。勿論、撮影準備中（電子カセッテ２４の設置作業中）や撮影開始前であっても、バッテリ４４の残量が不足している場合には、手術開始前や手術開始後において、すぐに無線充電を実行し、迅速に撮影準備を完了することができる。
【００７０】
電子カセッテ２４への無線給電に際しては、ＬＣ共振器８４から電子カセッテ２４へと印加される磁場Ｍを、前記低出力運転よりも十分に強い磁場に変更した所定の運転条件（高出力運転、給電運転）で給電装置２５が駆動制御されるとよい。また、電子カセッテ２４では、ＬＣ共振器８８と共に、検出用ＬＣ共振器９４で受けた電力も充電回路９０からバッテリ４４への充電に使用して、バッテリ４４の一層急速な充電を行うこともできる。
【００７１】
なお、撮影システム１０では、上記のようにコンソール２８を介して電子カセッテ２４と給電装置２５との間で対応する給電装置２５のＩＤ情報を確認できる。このため、例えば、給電装置を複数台設置した場合にも、対応する所望の給電装置から電子カセッテ２４へと適切に且つ選択的に給電運転を行うことができ、無駄な電力消費や誤動作等を回避することができる。
【００７２】
バッテリ４４が十分な残量を有していると判断され（ステップＳ２のＹＥＳ）、続いて、ステップＳ４において放射線画像の撮影をする際には、医師１８又は放射線技師は撮影装置２２を電子カセッテ２４に対向する位置に移動させた後、撮影スイッチ７２を操作して、放射線画像の撮影を行う。
【００７３】
この場合、医師１８等による撮影スイッチ７２の操作に基づき、撮影装置２２の線源制御部７８は、コンソール２８に対して撮影条件の送信を要求する信号を送信する。コンソール２８は、受信した前記要求に基づいて、撮影条件管理部１１８に登録されている当該患者１４の撮影部位に係る撮影条件を撮影装置２２へと送信する。線源制御部７８は、前記撮影条件を受信すると、当該撮影条件に基づいて放射線源７４を制御し、所定の線量からなる放射線Ｘを患者１４に照射（曝射）する。勿論、前記撮影条件は、予めコンソール２８から線源制御部７８の図示しないメモリ等に送信されていてもよい。
【００７４】
患者１４を透過した放射線Ｘは、電子カセッテ２４のグリッド３８によって散乱線が除去された後、放射線検出器４０に照射され、放射線検出器４０を構成する各画素５０の光電変換層５１によって電気信号に変換された後、蓄積容量５３に電荷として保持される（図３参照）。次いで、各蓄積容量５３に保持された患者１４の放射線画像情報である電荷情報（信号電荷）は、カセッテ制御部４６を構成するアドレス信号発生部９８からライン走査駆動部５８及びマルチプレクサ６６に供給されるアドレス信号に従って読み出される。
【００７５】
すなわち、ライン走査駆動部５８のアドレスデコーダ６０は、アドレス信号発生部９８から供給されるアドレス信号に従って選択信号を出力してスイッチＳＷ１の１つを選択し、対応するゲート線５４に接続されたＴＦＴ５２のゲートに制御信号Ｖｏｎを供給する。一方、マルチプレクサ６６のアドレスデコーダ６８は、アドレス信号発生部９８から供給されるアドレス信号に従って選択信号を出力してスイッチＳＷ２を順次切り替え、ライン走査駆動部５８によって選択されたゲート線５４に接続された各画素５０の蓄積容量５３に保持された電荷情報である放射線画像情報を信号線５６を介して順次読み出す。
【００７６】
放射線検出器４０の選択されたゲート線５４に接続された各画素５０の蓄積容量５３から読み出された放射線画像情報は、各増幅器６２によって増幅された後、各サンプルホールド回路６４によってサンプリングされ、マルチプレクサ６６を介してＡ／Ｄ変換器７０に供給され、デジタル信号に変換される。デジタル信号に変換された放射線画像情報は、カセッテ制御部４６の画像メモリ１００に一旦記憶される。
【００７７】
同様にして、ライン走査駆動部５８のアドレスデコーダ６０は、アドレス信号発生部９８から供給されるアドレス信号に従ってスイッチＳＷ１を順次切り替え、各ゲート線５４に接続されている各画素５０の蓄積容量５３に保持された電荷情報である放射線画像情報を信号線５６を介して読み出し、マルチプレクサ６６及びＡ／Ｄ変換器７０を介してカセッテ制御部４６の画像メモリ１００に記憶させる。
【００７８】
画像メモリ１００に記憶された放射線画像情報は、無線通信によってコンソール２８へと送信される。コンソール２８に送信された放射線画像情報は、画像処理部１２０において所定の画像処理が施された後、患者情報管理部１２４に登録されている患者１４の患者情報と関連付けられた状態で画像メモリ１２２に記憶される。
【００７９】
画像処理の施された放射線画像情報は、コンソール２８から表示装置２６へと送信される。放射線画像情報を受信した表示装置２６は、表示制御部１１２によって表示部１１４を制御しつつ画像表示処理を行い、放射線画像を表示する。このため、医師１８は、表示部１１４に表示された放射線画像を確認しながら手術を遂行することができる。
【００８０】
ところで、例えば、手術中に複数回の放射線画像撮影が行われ、電子カセッテ２４のバッテリ４４の残量が不足した場合であっても、当該撮影システム１０では電子カセッテ２４への無線給電ができる給電装置２５を備えているため、電子カセッテ２４を所定の撮影位置に設置した状態のまま適宜充電を行うことができる。
【００８１】
ところが、放射線画像情報の送信中に無線給電が実施された場合、バッテリ４４から放射線検出器４０に供給される電圧等が不安定となって大きく変動し、また、給電装置２５から印加される磁場Ｍ等に起因したノイズが、送信中の放射線画像情報（送信信号）に影響を及ぼす可能性がある。この場合には、撮影された放射線画像にノイズが混入し、品質の高い放射線画像の取得が困難となる可能性がある。
【００８２】
そこで、本実施形態に係る撮影システム１０は、上記した送信状態判定部１０７及び信号発生部１０９を設け、放射線画像情報の送信中か否かを考慮しながら放射線検出装置である電子カセッテ２４への無線給電を制御する給電禁止制御及び給電開始制御を実施する。
【００８３】
すなわち、撮影システム１０では、放射線画像の撮影に際し、医師１８等によって撮影スイッチ７２が操作され、又は、撮影装置２２の線源制御部７８によるコンソール２８への撮影条件の送信要求がなされた際等、実質的な撮影準備が開始されると、コンソール２８は、撮影装置２２の制御を行うと同時に又は撮影装置２２の制御に先立ち、電子カセッテ２４に対しても撮影開始信号を送信してカセッテ制御部４６を駆動制御し、当該電子カセッテ２４を撮影準備完了状態とする（ステップＳ１〜Ｓ２）。
【００８４】
ここで、電子カセッテ２４では、上記のステップＳ４で撮影が開始され、コンソール２８からの撮影開始信号を受信すると、放射線検出器４０等の駆動を行う。具体的には、患者１４を透過した放射線Ｘが放射線検出器４０に照射され、各画素５０の光電変換層５１によって電気信号に変換された後、蓄積容量５３に電荷（信号電荷）として蓄積され、さらに、各画素５０の蓄積容量５３から読み出された放射線画像情報は、各増幅器６２によって増幅された後、各サンプルホールド回路６４によってサンプリングされ、マルチプレクサ６６を介してＡ／Ｄ変換器７０に供給され、デジタル信号に変換される。デジタル信号に変換された放射線画像情報は、カセッテ制御部４６の画像メモリ１００に一旦記憶される。画像メモリ１００に記憶された放射線画像情報は、無線通信によってコンソール２８へと送信される（ステップＳ５）。すなわち、送受信機は、コンソール２８とのデータ通信を行う前に通信リンクの確立を行い、コンソール２８とのデータ通信（放射線画像情報の送信）が終了したら通信リンクの解放を行う。
【００８５】
そして、電子カセッテの送信状態判定部は、放射線画像情報の送信中か否かを判別する（ステップＳ６）。この判別は、上述したように、通信開始時点から通信終了時点の期間内であるかどうかで行われる。
【００８６】
送信中と判定された場合には（ステップＳ６のＹＥＳ）、該送信中との判定結果が送信状態判定部１０７から信号発生部１０９へと伝達されることで、信号発生部１０９は給電装置２５による給電を禁止するための給電禁止信号を発生する（ステップＳ７）。次いで、給電禁止信号は電子カセッテ２４からコンソール２８へと送信される。コンソール２８は給電禁止信号を受信すると、例えば給電情報管理部１２８の管理下に、給電装置２５による給電を禁止する制御を行う（ステップＳ８）。なお、給電禁止信号は、電子カセッテ２４から給電装置２５へとコンソール２８を介さずに直接的に送信され、給電装置２５の給電制御部８６や電子カセッテ２４のカセッテ制御部４６によって給電禁止制御が実行されるように構成してもよい。
【００８７】
従って、放射線画像情報の送信中に給電装置２５による無線給電が実施されることが回避され、バッテリ４４の電圧変動や磁場Ｍ等の影響により、取得される放射線画像にノイズの影響が生じることを防止することができる。
【００８８】
このような給電装置２５の給電禁止制御は、通信開始時点から通信終了時点までの期間にわたって継続されることから、放射線画像情報が送信されている期間においては、確実に無線給電は行われない。
【００８９】
一方、ステップＳ８による給電禁止制御中にループしたステップＳ６において、通信終了時点が経過して、送信状態判定部１０７で放射線画像情報の送信中でない（非送信中）と判定された場合には、送信終了（非送信中）との判定結果が送信状態判定部１０８から信号発生部１０９へと伝達される。これにより、信号発生部１０９は給電装置２５による給電の開始（再開）を許可する給電許可信号を発生する（ステップＳ９）。
【００９０】
給電許可信号は、電子カセッテ２４からコンソール２８へと送信され、例えば給電情報管理部１２８の管理下に、給電装置２５による給電を開始する制御、又は給電をすぐに開始できるように給電装置２５を給電開始待機状態（給電再開待機状態）にする制御が行われる（ステップＳ１１）。これにより、放射線画像情報の送信中を避けながら、適切にバッテリ４４への無線給電を実施することができる（ステップＳ１２）。なお、上述の給電開始待機制御を実施した場合には、例えば、コンソール２８が給電許可信号を受信した状態で、ステップＳ１０に示すように、カセッテ制御部４６やカセッテ情報管理部１２６によるバッテリ４４の残量を考慮した上で、続いて給電開始制御を実施するとよい。また、給電許可信号は、電子カセッテ２４から給電装置２５へとコンソール２８を介さずに直接的に送信され、給電装置２５の給電制御部８６や電子カセッテ２４のカセッテ制御部４６によって給電開始制御や給電開始待機制御が実行されてもよい。
【００９１】
このように、撮影システム１０では、放射線画像情報の送信中に給電禁止制御を実施した場合であっても、撮影終了後には、バッテリ４４への給電を迅速に行うことができる。このため、例えば、撮影で使用されてバッテリ４４の残量が大幅に減り、次回の撮影前に迅速に充電をしておきたい場合等に、特に有効である。なお、上記したステップＳ１〜Ｓ１２による撮影や給電が終了した後、再び撮影を行う予定がある場合等には、ステップＳ１２（ステップＳ１０）の終了後、ステップＳ１等の各手順へと戻ればよい。
【００９２】
また、このような撮影システム１０では、バッテリ４４への充電は、コンソール２８の制御下に撮影時以外に適宜行うように構成してもよいことは言うまでもない。
【００９３】
以上のように、本実施形態に撮影システム１０では、電子カセッテ２４を患者１４に対して所望の撮影位置に設置した状態であっても、給電装置２５によって当該電子カセッテ２４への給電を容易に行うことができる。このため、手術中に電子カセッテ２４のバッテリ４４への充電が必要となった場合であっても、当該電子カセッテ２４を移動等させることなく充電を行うことができ、当該電子カセッテ２４及び撮影システム１０全体の取り扱い性を向上させることができる。さらに、電子カセッテ２４のバッテリ４４の残量不足による撮影及び手術の中断・延長を有効に回避することができる。
【００９４】
また、撮影システム１０（電子カセッテ２４）では、送信状態判定部１０７及び信号発生部１０９を備え、放射線画像情報の送信中に給電装置２５が駆動され、バッテリ４４への充電が行われることを防止している。このため、給電装置２５からの無線送電に起因したノイズが、送信中の放射線画像情報に影響を及ぼすことを防止して、高品質な放射線画像の取得が可能になる。また、高品質な放射線画像を無線電力供給の影響による速度低下を招くことなく通信可能となる。この場合、送信中に給電装置２５によるバッテリ４４の充電動作が行われることを一層確実に回避するため、表示装置２６の表示部１１４において、「送信中」や「給電中」との表示を行ってもよい。そうすると、医師１８等が現在の状態を一層確実に且つ容易に把握することができ、より円滑に放射線撮影や無線充電を行うことができる。
【００９５】
さらに、送信状態判定部１０７及び信号発生部１０９では、非送信中（送信終了）と判定された場合に、給電の開始（再開）を許可する給電許可信号を発生することもできる。このため、例えば、撮影で使用されてバッテリ４４の残量が大幅に減った場合であっても、撮影終了後に迅速に充電を行い、次の撮影に備えることができる。
【００９６】
また、撮影システム１０では、対応する給電装置２５の給電可能エリア内に電子カセッテ２４が配置されると、コンソール２８を介して自動的に電子カセッテ２４と給電装置２５との間での情報の送受信が行われ、電子カセッテ２４が撮影可能な状態に駆動制御される。従って、電子カセッテ２４に手動の電源スイッチ等を設けることを省略することができ、操作スイッチの操作忘れ等による撮影ミスの発生を防止することができる。このため、電子カセッテ２４及び撮影システム１０の取り扱い性を一層向上させることができる。
【００９７】
さらに、電子カセッテ２４のエネルギ検出部９６で所望の磁場Ｍが検出されない場合には、例えば、無線給電不能信号をデータ管理部１０６からカセッテ情報管理部１２６に送信し、さらに、前記の無線給電不能信号を表示装置２６へと送信することにより、表示部１１４にて医師等にその旨を通知することができる。
【００９８】
なお、本実施形態に係る撮影システム１０は、図８に示すように、給電装置２５に送受信機８５を設け、電子カセッテ２４の検出用ＬＣ共振器９４及びエネルギ検出部９６（図５参照）の代わりに、送受信機９５及び受電可否検出部９７を設けた放射線画像撮影システム１０ａとして構成することもできる。
【００９９】
図４に示す撮影システム１０では、電子カセッテ２４が給電装置２５の給電可能エリア内にあること、すなわち、電子カセッテ２４が給電装置２５から受電可能なエリアにあるか否かを検出する受電可否検出部として、検出用ＬＣ共振器９４及びエネルギ検出部９６を用いていた。
【０１００】
一方、図８に示す撮影システム１０ａでは、送受信機８５、９５間の通信により給電可能エリアを示す信号を送受信することができる。送受信機８５から送受信機９５への無線通信としては、例えば、指向性を持ち通信領域を制限することで他の無線通信に影響を及ぼさない方式を用いることが好ましい。また、送受信機８５、９５の代わりにＬＥＤ（発光器）及び受光器を用いて同様の検出を行うことも可能である。
【０１０１】
さらに、撮影システム１０ａでは、送受信機８５、９５による無線通信を用いることにより、給電開始直前に、給電装置２５から電子カセッテ２４側に給電開始信号を通知することもできる。そうすると、電子カセッテ２４では、給電開始信号を受信した際に、送信状態判定部１０７で送信中と判定している場合には、信号発生部１０９からの給電禁止信号をコンソール２８を介さずに直接的に給電装置２５へと送受信機８５、９５によって返信することもでき、一層確実に撮影時の給電を回避することが可能となり、給電許可信号に基づく給電開始制御についても同様である。
【０１０２】
図９は、図４に示す放射線画像撮影システム１０の第２の変形例に係る放射線画像撮影システム１０ｂのブロック説明図である。
【０１０３】
上記した撮影システム１０では、給電装置２５の給電禁止制御に係る送信状態判定部１０７及び信号発生部１０９を電子カセッテ２４に設けていた。これに対し、撮影システム１０ｂでは、送信状態判定部１０７ａ及び信号発生部（給電禁止信号発生部、給電許可信号発生部）１０９ａをコンソール２８に設け、送信中の給電禁止制御及び非送信中の給電開始制御が行われる。
【０１０４】
撮影システム１０ｂにおいて、送信状態判定部１０７ａは、電子カセッテ２４との通信開始時点から通信終了時点までの期間を、放射線画像情報の送信中として判定する。ここで、図６に示すように、通信開始時点は、コンソール２８の送受信機１１６に確立要求信号が入力された時点、コンソール２８の送受信機１１６から通信リンクが確立されたことを示すアンサー信号（１）が出力された時点、通信リンクが確立した後の放射線画像情報の受信開始時点のうち、いずれかの時点である。どの時点を通信開始時点にするかは、電子カセッテ２４や撮影システム１０の仕様、無線給電の際に出力される電力の大きさ等に応じて適宜選択することができる。
【０１０５】
通信終了時点は、放射線画像情報の受信終了時点、コンソール２８の送受信機１１６に解放要求信号が入力された時点、コンソール２８の送受信機１１６から通信リンクが解放されたことを示すアンサー信号（２）が出力された時点のうち、いずれかの時点である。どの時点を通信終了時点にするかは、上述と同様に、電子カセッテ２４や撮影システム１０の仕様、無線給電の際に出力される電力の大きさ等に応じて適宜選択することができる。
【０１０６】
また、この撮影システム１０ｂの送信状態判定部１０７ａは、コンソール２８から表示装置２６に放射線画像情報の送信が行われているか否か（つまり、送信中か否か）を判定するようにしてもよい。この場合、コンソール２８の送受信機１１６は、表示装置２６とのデータ通信を行うための通信リンクの確立や通信リンクの解放、並びに放射線画像情報の送信を行う。すなわち、送受信機１１６は、画像処理部１２０から通信要求信号が入力された時点で表示装置２６とのデータ通信を行う前に通信リンクの確立を行い、表示装置２６とのデータ通信が終了したら通信リンクの解放を行う。
【０１０７】
例えば図１０に示すように、通信リンクの確立は、表示装置２６に向けて通信リンクの確立のための確立要求信号を出力し、表示装置２６からのアンサー信号（３）を待つ。アンサー信号（３）が受信された段階で、通信リンクが確立されることになる。その後、実際の放射線画像情報（例えば画像処理後の放射線画像情報）の送信が行われ、放射線画像情報の送信が終了した段階で、通信リンクの解放を行う。通信リンクの解放は、表示装置２６に向けて通信リンクの解放のための解放要求信号を出力し、表示装置２６からのアンサー信号（４）を待つ。アンサー信号（４）が受信された段階で、通信リンクが解放されることになる。
【０１０８】
従って、この場合も、送信状態判定部１０７ａは、表示装置２６との通信開始時点から通信終了時点までの期間を、放射線画像情報の送信中として判定する。ここで、図１０に示すように、通信開始時点は、コンソール２８の送受信機１１６から確立要求信号が出力された時点、表示装置２６の送受信機１１０から通信リンクが確立されたことを示すアンサー信号（３）が入力された時点、通信リンクが確立した後の放射線画像情報の送信開始時点のうち、いずれかの時点である。
【０１０９】
通信終了時点は、放射線画像情報の送信終了時点、コンソール２８の送受信機１１６から解放要求信号が出力された時点、表示装置２６の送受信機１１０から通信リンクが解放されたことを示すアンサー信号（４）が入力された時点のうち、いずれかの時点である。
【０１１０】
そして、コンソール２８の送信状態判定部１０７ａは、通信開始時点から通信終了時点の期間であれば、放射線画像情報の送信中と判定し、これにより信号発生部１０９ａから給電禁止信号が発せられ、上記撮影システム１０の場合と同様に送信中の給電禁止制御が実施される。なお、電子カセッテ２４に設けられた送信状態判定部１０７及び信号発生部１０９については、コンソール２８の制御下に、その機能を使用しないように設定しておけばよい。勿論、撮影システム１０ｂでは、送信状態判定部１０７及び信号発生部１０９を省略した、簡易型の電子カセッテを用いることもできる。
【０１１１】
特に、この例では、コンソール２８から表示装置２６への放射線画像情報の送信中に、無線給電装置２５による電子カセッテ２４への給電が行われることを確実に禁止することもできるため、無線給電装置２５から無線で供給される電力によって生じるノイズが、表示装置２６に送信中の画像処理後の放射線画像情報（送信信号）に影響を及ぼすことを防止することができ、高品質な放射線画像の取得が可能になる。また、高品質な放射線画像を無線電力供給の影響による速度低下を招くことなく通信可能となる。
【０１１２】
また、図９に示すように、撮影システム１０ｂでは、送信状態判定部１０７ａ及び信号発生部１０９ａに加えて、又は代えて、給電装置２５に送信状態判定部１０７ｂ及び信号発生部（給電禁止信号発生部、給電許可信号発生部）１０９ｂを設けてもよい。すなわち、送信状態判定部及び信号発生部は、少なくともコンソール２８、給電装置２５及び電子カセッテ２４のいずれかに設けられていれば、上記撮影システム１０と同様な給電禁止制御や給電開始制御（給電開始待機制御）を行うことができ、当然、別途専用のコンソール等を設置してもよい。複数の機器に送信状態判定部及び信号発生部が設けられている場合には、例えば、コンソール２８の制御下に任意の機器に搭載された送信状態判定部及び信号発生部を選択的に使用するように設定し、他の機器の送信状態判定部及び信号発生部の機能を使用しないように構成すればよい。
【０１１３】
なお、電子カセッテ２４では、上記のように送信状態判定部１０７及び信号発生部１０９を搭載しているため、例えば、既設の放射線画像撮影システムに対しても、コンソール２８の制御プログラム等を多少変更するだけで、上記の給電禁止制御や給電開始制御（給電開始待機制御）を容易に付加することができるという利点がある。
【０１１４】
電子カセッテ２４のカセッテ制御部４６、コンソール２８の給電情報管理部１２８及び給電装置２５の給電制御部８６は、信号発生部１０９、１０９ａ、１０９ｂで発せられた給電禁止信号（給電許可信号）を受信し、電子カセッテ２４への無線給電を禁止（開始）するように給電装置２５を制御する給電禁止制御部（給電開始制御部）として機能する。従って、上記した送信状態判定部及び信号発生部の場合と同様に、該給電禁止制御部や給電開始制御部についても少なくとも一つの機器に設けられていればよく、つまりカセッテ制御部４６や給電情報管理部１２８等のうちの一つが当該給電禁止制御部や給電開始制御部として機能すればよい。
【０１１５】
なお、上記した放射線画像撮影システム１０、１０ａ、１０ｂでは、手術中に使用される放射線画像を表示装置２６に表示するものとしたが、手術中以外において通常の放射線画像の撮影のみを行う場合にも適用可能であることは言うまでもない。同様に、電子カセッテ２４は、手術室１２で使用される場合に限られるものではなく、例えば、検診や病院内での回診にも適用することができる。
【０１１６】
また、給電装置２５は、電子カセッテ２４に対して無線（非接触）による給電が可能であればよく、例えば、ＬＣ共振器８４、８８及び検出用ＬＣ共振器９４に代えて、それぞれを誘電体で構成すると共に磁場Ｍの代わりに電場を用いるものとしてもよく、前記のようないわゆる共鳴型の無線給電装置以外のものであってもよい。すなわち、給電装置２５から電子カセッテ２４に供給される電気エネルギを変換した供給エネルギとしては、例えば、光エネルギや熱エネルギ等も適用可能である。
【０１１７】
さらに、放射線画像撮影システム１０、１０ａ、１０ｂでは、例えば、電子カセッテ２４に収容される放射線検出器４０は、入射した放射線Ｘの線量を光電変換層５１によって直接電気信号に変換するもの（直接変換方式）であるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線検出器（間接変換方式）を用いてもよい（特許第３４９４６８３号公報参照）。
【０１１８】
さらにまた、光読出方式の放射線検出器を利用して放射線画像情報を取得することもできる。この光読出方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【０１１９】
さらに、例えば、撮影装置２２、給電装置２５、表示装置２６及びコンソール２８間等での信号の送受信を有線通信によって行うこともできる。
【０１２０】
また、電子カセッテ２４と外部機器との間での無線通信は、通常の電波による通信に代えて、赤外線等を用いた光無線通信で行うようにしてもよい。
【０１２１】
図１１は、電子カセッテ２４の変形例に係る電子カセッテ５００の構成図である。電子カセッテ５００には、ケーシング５０２の放射線照射面側に、撮影領域及び撮影位置の基準となるガイド線５０４が形成される。このガイド線５０４を用いて、電子カセッテ５００に対する被写体（患者１４）の位置決めを行い、また、放射線Ｘの照射範囲を設定することにより、放射線画像情報を適切な撮影領域に記録することができる。
【０１２２】
電子カセッテ５００の撮影領域外の部位には、当該電子カセッテ５００に係る各種情報を表示する表示部５０６を配設する。この表示部５０６には、電子カセッテ５００に記録される患者１４のＩＤ情報、電子カセッテ５００の使用回数、累積曝射線量、電子カセッテ５００に内蔵されているバッテリ４４の充電状態（残容量）、放射線画像情報の撮影条件、患者１４の電子カセッテ５００に対するポジショニング画像等を表示させる。この場合、放射線技師は、例えば、表示部５０６に表示されたＩＤ情報に従って患者１４を確認すると共に、当該電子カセッテ５００が使用可能な状態にあることを事前に確認し、表示されたポジショニング画像に基づいて患者１４の所望の撮影部位を電子カセッテ５００に位置決めして、最適な放射線画像情報の撮影を行うことができる。
【０１２３】
また、電子カセッテ５００に取手部５０８を形成することにより、当該電子カセッテ５００の取扱い、持ち運びが容易になる。
【０１２４】
電子カセッテ５００の側部には、ＡＣアダプタの入力端子５１０と、ＵＳＢ（Ｕｎｉｖｅｒｓａｌ  Ｓｅｒｉａｌ  Ｂｕｓ）端子５１２と、メモリカード５１４を装填するためのカードスロット５１６とを配設すると好適である。
【０１２５】
入力端子５１０は、電子カセッテ５００に内蔵されているバッテリ４４の充電機能が低下しているとき、あるいは、バッテリ４４を充電するのに十分な時間を確保できないとき、ＡＣアダプタを接続して外部から電力を供給することにより、当該電子カセッテ５００を直ちに使用可能な状態とすることができる。
【０１２６】
ＵＳＢ端子５１２又はカードスロット５１６は、電子カセッテ５００がコンソール２８等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【０１２７】
手術室１２や病院内の必要な箇所には、図１２に示すように、電子カセッテ２４が装填され、内蔵されるバッテリ４４の充電を行うクレードル５１８を配置すると好適である。この場合、クレードル５１８は、上記の給電装置２５に類似した図示しない非接触の給電装置によるバッテリ４４の充電だけでなく、クレードル５１８の無線通信機能又は有線通信機能を用いて、ＲＩＳ２９、ＨＩＳ３３、コンソール２８等の外部機器との間で必要な情報の送受信を行うようにしてもよい。送受信する情報には、クレードル５１８に装填された電子カセッテ２４に記録された放射線画像情報を含めることができる。
【０１２８】
また、クレードル５１８に表示部５２０を配設し、この表示部５２０に対して、装填された当該電子カセッテ２４の充電状態や、電子カセッテ２４から取得した放射線画像情報を含む必要な情報を表示させるようにしてもよい。
【０１２９】
さらに、複数のクレードル５１８をネットワークに接続し、各クレードル５１８に装填されている電子カセッテ２４の充電状態をネットワークを介して収集し、使用可能な充電状態にある電子カセッテ２４の所在を確認できるように構成することもできる。
【０１３０】
図１３は、図４に示す放射線画像撮影システム１０の第３の変形例に係る放射線画像撮影システム１０ｃの説明図である。
【０１３１】
上記した撮影システム１０等では、照射された放射線Ｘを検出し、放射線画像情報を取得する放射線検出装置として電子カセッテ２４を用いた構成を説明した。これに対して、当該撮影システム１０ｃでは、電子カセッテ２４の代わりに、患者１４が横臥するベッドである撮影台１５０にビルトインされた放射線検出装置１５２を用いて臥位撮影を行う構成を説明する。
【０１３２】
撮影システム１０ｃにおいて、放射線検出装置１５２は上記の電子カセッテ２４と略同様な構成及び構造からなり、放射線検出器４０、バッテリ４４、無線受電部４９、制御部４６ａ及び送受信機４８等を備え、これら各機器が放射線Ｘを透過させる材料で形成された箱状のケーシング１５４内に収納されている。制御部４６ａは、電子カセッテ２４を構成するカセッテ制御部４６と略同様に機能するものであり、送信状態判定部１０７及び信号発生部（給電禁止信号発生部、給電許可信号発生部）１０９等を有する。
【０１３３】
また、撮影台１５０の下面には、その長手方向に沿ってレール１５６が設けられており、放射線検出装置１５２は、ケーシング１５４に設けられたスライダ機構（図示せず）により、レール１５６に沿って矢印Ｘ方向（水平方向）の所望の位置に移動可能である。従って、撮影台１５０に横臥した患者１４の所望の撮影部位へと放射線検出装置１５２を容易に移動させることができる。
【０１３４】
以上より、撮影システム１０ｃでは、放射線検出装置１５２を移動可能とする一方、当該放射線検出装置１５２には上記の電子カセッテ２４と略同様にバッテリ４４及び無線受電部４９を内蔵しているため、放射線検出装置１５２への電源ケーブル等が不要である。従って、ケーブル類の影響を受けることなく放射線検出装置１５２を円滑に移動させることができ、取り扱い性を向上させることができる。また、上記の撮影システム１０等と同様に、給電装置２５からバッテリ４４への無線給電と撮影装置２２による撮影とを適宜制御することができ、撮影中の給電禁止制御及び非撮影中の給電開始制御を行うことにより品質の高い放射線画像の取得が可能である。
【０１３５】
なお、図１３に示すように、撮影システム１０ｃでは、撮影台１５０の脚部に車輪１５８を設けた構成としてもよい。この場合、撮影台１５０自体を室内の所望の位置に容易に移動可能であり、必要に応じてレール１５６をなくし、放射線検出装置１５２を撮影台１５０に固定した構成とすることもできる。
【０１３６】
図１４は、図４に示す放射線画像撮影システム１０の第４の変形例に係る放射線画像撮影システム１０ｄの説明図である。
【０１３７】
撮影システム１０ｄは、上記の撮影システム１０ｃと同様に電子カセッテ２４を用いず、図示しない床面及び壁面１６０に固定されて起立した支柱１６２に対して着脱自在な放射線検出装置１６４を用いて立位撮影を行うシステムである。
【０１３８】
放射線検出装置１６４は、上記の電子カセッテ２４や放射線検出装置１５２と略同様な構成及び構造からなり、放射線検出器４０、バッテリ４４、無線受電部４９、制御部４６ａ及び送受信機４８等を備え、これら各機器が放射線Ｘを透過させる材料で形成された箱状のケーシング１５４内に収納されている。
【０１３９】
この場合、立位撮影台として機能する放射線検出装置１６４の背面には、鉛直方向に離間した一対のフック部材１６６、１６８が設けられている。一方、支柱１６２の放射線検出装置１６４に対向する側面には装着凹部１７０が形成され、該装着凹部１７０内には、水平方向（患者１４の肩幅方向）に延び、前記フック部材１６６、１６８に対応して鉛直方向に離間した一対のシャフト１７２、１７４が固定されている。また、下方のフック部材１６８は図示しないばね機構により、支軸１７６を支点として上方に揺動可能である（図１４中の破線参照）。
【０１４０】
従って、フック部材１６８の揺動動作を利用して、フック部材１６６、１６８をシャフト１７２、１７４へと容易に且つ確実に装着可能且つ離脱可能であり、つまり、放射線検出装置１６４を支柱１６２に容易に且つ確実に着脱することができる。さらに、放射線検出装置１６４は、支柱１６２に装着された状態で図示しないスライド機構によって矢印Ｙ方向（鉛直方向）にも移動可能とされている。
【０１４１】
なお、図１４中の参照符号１７８は、ケーシング１５４の両幅方向に固定されたフレームであり、撮影台である放射線検出装置１６４に対して患者１４が所望の撮影姿勢をした際に当該撮影姿勢を維持するために把持する棒部材である。
【０１４２】
以上より、撮影システム１０ｄでは、放射線検出装置１６４を支柱１６２に対して着脱可能且つ移動可能とする一方、当該放射線検出装置１６４には上記の電子カセッテ２４や放射線検出装置１５２と略同様にバッテリ４４及び無線受電部４９を内蔵しているため、電源ケーブル等が不要である。従って、ケーブル類の影響を受けることなく放射線検出装置１６４を容易に移動及び着脱することができる。また、上記の撮影システム１０等と同様に、給電装置２５からバッテリ４４への無線給電と撮影装置２２による撮影とを適宜制御することができ、送信中の給電禁止制御及び非送信中の給電開始制御を行うことにより品質の高い放射線画像の取得が可能である。
【０１４３】
以上のように、本実施形態に係る撮影システム１０、１０ａ〜１０ｄでは、放射線検出装置である電子カセッテ２４や放射線検出装置１５２、１６４が移動可能であるが、これらが所望の撮影位置に設定された場合であっても、給電装置２５によって当該電子カセッテ２４への給電を容易に行うことができる。しかも、送信状態判定部１０７及び信号発生部１０９を備えていることから、無線送電に起因したノイズによる影響を回避して高品質な画像を撮影及び取得可能である一方、非送信中（送信終了）には迅速な充電を行うことができる。また、高品質な放射線画像を無線電力供給の影響による速度低下を招くことなく通信可能となる。
【０１４４】
なお、本発明に係る放射線検出装置、放射線画像撮影システム及び放射線画像撮影方法は、上述の実施の形態に限らず、本発明の要旨を逸脱することなく、種々の構成を採り得ることは勿論である。
【符号の説明】
【０１４５】
１０、１０ａ〜１０ｄ…放射線画像撮影システム
２２…撮影装置                        ２４、５００…電子カセッテ
２５…給電装置                        ２６…表示装置
２８…コンソール                      ４０…放射線検出器
４４…バッテリ                        ４６…カセッテ制御部
４６ａ…制御部                        ４９…無線受電部
７２…撮影スイッチ                    ７８…線源制御部
８６…給電制御部
１０７、１０７ａ、１０７ｂ、１０７ｃ…送信状態判定部
１０９、１０９ａ〜１０９ｃ…信号発生部
１２８…給電情報管理部                １５２、１６４…放射線検出装置
【図１】
2010223863.tif 000003
【図２】
2010223863.tif 000004
【図３】
2010223863.tif 000005
【図４】
2010223863.tif 000006
【図５】
2010223863.tif 000007
【図６】
2010223863.tif 000008
【図７】
2010223863.tif 000009
【図８】
2010223863.tif 000010
【図９】
2010223863.tif 000011
【図１０】
2010223863.tif 000012
【図１１】
2010223863.tif 000013
【図１２】
2010223863.tif 000014
【図１３】
2010223863.tif 000015
【図１４】
2010223863.tif 000016